(57)【要約】【課題】不正行為を抑制するのに有利なパチンコ遊技機及びパチンコ遊技機用の施錠装置を提供する。【解決手段】パチンコ遊技機用の施錠装置は、固定体と、固定体に開閉回動可能の枢支された開閉扉とを備え、開閉扉を固定体に施錠する施錠装置が設けられ、施錠装置は、単数箇所をロックする。またパチンコ遊技機は、遊技機本体１と、パチンコ遊技面３０を備えると共にパチンコ球発射用の操作部５とを備え遊技機本体１に開閉回動可能に枢支された前面扉３とを備える。前面扉３を遊技機本体１に施錠する施錠装置６が設けられている。施錠装置６のロック係止部（６１）は前面扉３の高さ方向において単数個所をロックする方式とされている。施錠装置６は、前面扉３の上端面３ｕと操作部５の中心ＰＣとを最短距離で結ぶ長さＬＡの中心点高さをＰＥとすると、施錠装置６のロック係止部（６１）は中心点高さＰＥよりも操作部５に接近する側に設けられていることが好ましい。【選択図】  図４
2006015084.tif 000002
【特許請求の範囲】
【請求項１】
遊技機本体と、パチンコ遊技面を備えると共にパチンコ球発射用の操作部を備え且つ前記遊技機本体に開閉回動可能に枢支された前面扉とを具備するパチンコ遊技機において、
前記前面扉を前記遊技機本体に施錠する施錠装置が設けられ、前記施錠装置は前記前面扉の高さ方向において単数個所をロックすることを特徴とするパチンコ遊技機。
【請求項２】
遊技機本体と、パチンコ遊技面を備えると共にパチンコ球発射用の操作部を備え且つ前記遊技機本体に開閉回動可能に枢支された前記前面扉とを具備するパチンコ遊技機において、
前記前面扉を前記遊技機本体に施錠する施錠装置が設けられ、前記施錠装置は前記前面扉の高さ方向において単数個所をロックする構成であり、且つ、
前記施錠装置は、前記前面扉の上端面と前記操作部の中心とを最短距離で結ぶ長さの中心点高さをＰＥとすると、前記施錠装置のロック係止部は中心点高さＰＥと前記操作部との間の領域内に設けられていることを特徴とするパチンコ遊技機。
【請求項３】
請求項１または請求項２において、前記前面扉の上端面と前記操作部の中心とを最短距離で結ぶ長さを１００％とするとき、前記施錠装置の施錠機能を果たすロック係止部は、前記操作部の中心から上方に相対表示で１５〜４５％の領域内に設けられていることを特徴とするパチンコ遊技機。
【請求項４】
パチンコ遊技面を備えると共にパチンコ球発射用の操作部を備え且つ遊技機本体に開閉回動可能に枢支された前面扉を、パチンコ遊技機の遊技機本体に施錠するパチンコ遊技機用の施錠装置において、
前記施錠装置は前記前面扉の高さ方向において単数個所をロックすることを特徴とするパチンコ遊技機用の施錠装置。
【請求項５】
パチンコ遊技面を備えると共にパチンコ球発射用の操作部を備え且つ前記遊技機本体に開閉回動可能に枢支された前面扉を、パチンコ遊技機の遊技機本体に施錠するパチンコ遊技機用の施錠装置において、
前記施錠装置は前記前面扉の高さ方向において単数個所をロックする構成であり、且つ、
前記前面扉の上端面と前記操作部の中心とを最短距離で結ぶ長さの中心点高さをＰＥとすると、前記施錠装置のロック係止部は中心点高さＰＥと前記操作部との間の領域内に設けられていることを特徴とするパチンコ遊技機用の施錠装置。
【請求項６】
請求項４または請求項５において、前記前面扉の上端面と前記操作部の中心とを最短距離で結ぶ長さを１００％とするとき、前記施錠装置の前記ロック係止部は、前記操作部の中心から上方に相対表示で１５〜４５％の領域内に設けられていることを特徴とするパチンコ遊技機用の施錠装置。
【請求項７】
固定体と、前記固定体に開閉回動可能の枢支された開閉扉とを具備するパチンコ遊技機用の施錠装置において、
前記開閉扉を前記固定体に施錠する施錠装置が設けられ、前記施錠装置は、単数箇所をロックすることを特徴とするパチンコ遊技機用の施錠装置。
【発明の詳細な説明】
【技術分野】
【０００１】
本発明はパチンコ球を用いて遊技するパチンコ遊技機及びパチンコ遊技機用の施錠装置に関する。
【背景技術】
【０００２】
パチンコ遊技機は健全な娯楽として広く普及している。特許文献１は、遊技機本体と、前面にパチンコ遊技面を備えると共にパチンコ球発射用の操作部とを備え且つ遊技機本体に開閉回動可能に枢支された前面扉とを備えるパチンコ遊技機に使用される施錠装置が開示されている。この施錠装置は、上部と下部との２点において前面扉と遊技機本体とを係止させる施錠装置が設けられている。施錠装置は、鈎部材を一方向に傾動させることで施錠が行われ、鈎部材を他方向に傾動させることで解錠が行われる。
【特許文献１】特開平６−６５０１号公報
【発明の開示】
【発明が解決しようとする課題】
【０００３】
パチンコ遊技機は前述のように健全な娯楽として広く普及しているにもかかわらず、不正行為者は皆無とは言えない。不正行為者対策は、パチンコ遊技機を健全な娯楽として広く普及させるためにも重要である。
【０００４】
上記した従来技術によれば、施錠装置は、上部と下部との２点ロック方式において前面扉と遊技機本体とを係止させる施錠装置が設けられている。このため施錠装置自体が複雑な機構となり、部品点数が多くなる。このため、ゴト師とも呼ばれる不正行為者が針金等の異物を前面扉と遊技機本体との間に差し込んで不正行為を行うとき、施錠装置を構成する部品に針金等の異物が触れる確率が増加し、不正行為を許容することになりかねないおそれがある。
【０００５】
また、遊技機本体を閉鎖する前面扉はパチンコ球発射用の操作部を備えていることが多い。操作部は、前面扉において遊技者側に突出している。しかもパチンコ球発射用の操作部は、遊技者が操作し易いように、前面扉の下部側に設けられているため、不正行為者が周囲に気づかれないように不正行為を行なうときには、操作部は不正行為の対象となり易いおそれがある。更に、操作部は前面扉の下部側に設けられているため、操作部を強制的に引っ張る不正行為が行われるときであっても、その不正行為を監視カメラから監視するには限界がある。このためパチンコ球発射用の操作部を遊技者側に強制的に引張ることにより、前面扉と遊技機本体との間に隙間を強制的に形成し、針金等の異物を隙間を介して差し込んで不正行為が行われることも間々ある。
【０００６】
本発明は上記した実情に鑑みてなされたものであり、不正行為を抑制するのに有利なパチンコ遊技機及びパチンコ遊技機用の施錠装置を提供することを課題とする。
【課題を解決するための手段】
【０００７】
本発明者はパチンコ遊技機の不正行為対策について鋭意開発を進めている。そして、次の（１）（２）を知見した。本発明はこの知見に基づいて開発されたものである。
【０００８】
（１）パチンコ遊技機においては、上部と下部との２点ロック方式において前面扉等の開閉扉と遊技機本体等の固定体とを係止させる施錠装置よりも、高さ方向のほぼ中間領域でロックするシングルロック方式の方が不正行為対策として有効であることを、本発明者は知見した。シングルロック方式の方が施錠装置自体が単純な機構となり、部品点数が少なくなる。このため、ゴト師とも呼ばれる不正行為者が針金等の異物を前面扉等の開閉扉と遊技機本体等の固定体との間に差し込んで不正行為を行うとき、施錠装置を構成する部品に針金等の異物が触れる確率が低減される。
【０００９】
（２）パチンコ遊技機では、パチンコ球発射用の操作部の高さ位置に施錠装置の高さ位置を近づけることが好ましいことを、本発明者は知見した。パチンコ球発射用の操作部を強制的に引張って隙間を形成するという不正行為に対する施錠装置の対抗性が高まり、パチンコ球発射用の操作部を引張って隙間を形成するという不正行為を抑えるのに有利となるためである。もっとも、前面扉の上端面側は施錠装置から遠くなるが、前面扉の上端面側においてはそもそも、不正行為の起点となり易い突出するパチンコ球発射用の操作部が存在しないこと、更に、前面扉の上端面側においては前面扉の下端面側の不正行為とは異なり、監視カメラ、周囲の遊技者、店員等に視認され易く、不正行為の対象となる頻度が相対的に低い。
【００１０】
すなわち、第１発明に係るパチンコ遊技機は、遊技機本体と、パチンコ遊技面を備えると共にパチンコ球発射用の操作部を備え且つ遊技機本体に開閉回動可能に枢支された前面扉とを具備するパチンコ遊技機において、前面扉を遊技機本体に施錠する施錠装置が設けられ、施錠装置は前面扉の高さ方向において単数個所をロックすることを特徴とするものである。
【００１１】
第１発明に係るパチンコ遊技機によれば、施錠装置は前面扉の高さ方向において単数個所をロックするものであり、従って、上部と下部との２点において前面扉と遊技機本体とを係止させる施錠装置が設けられている従来技術に比較して、部品点数の削減、サイズの小型化に有利となる。従って、不正行為の際に、施錠装置を構成する部品に針金等の異物が触れる確率が低減される。よって不正行為を抑制するのに有利となる。
【００１２】
第２発明に係るパチンコ遊技機は、遊技機本体と、パチンコ遊技面を備えると共にパチンコ球発射用の操作部を備え且つ遊技機本体に開閉回動可能に枢支された前面扉とを具備するパチンコ遊技機において、施錠装置は前面扉の高さ方向において単数個所をロックする構成であり、且つ、前面扉を遊技機本体に施錠する施錠装置が設けられ、施錠装置は、前面扉の上端面と操作部の中心とを最短距離で結ぶ長さの中心点高さをＰＥとすると、施錠装置の施錠機能を果たすロック係止部は中心点高さＰＥと操作部との間の領域内に設けられていることを特徴とするものである。
【００１３】
第２発明に係るパチンコ遊技機によれば、施錠装置の施錠機能を果たすロック係止部は、前記した中心点高さＰＥと操作部との間の領域内に設けられている。このため不正行為者が前面扉の操作部を強制的に引張って、前面扉と遊技機本体との間の領域内に隙間を強制的に形成するときであっても、隙間の隙間幅をできるだけ小さくすることができる。故に不正行為を抑制するのに有利となる。
【００１４】
第３発明に係るパチンコ遊技機用の施錠装置は、パチンコ遊技面を備えると共にパチンコ球発射用の操作部を備え且つ遊技機本体に開閉回動可能に枢支された前面扉を、パチンコ遊技機の遊技機本体に施錠するパチンコ遊技機用の施錠装置において、施錠装置は前面扉の高さ方向において単数個所をロックすることを特徴とするものである。
【００１５】
第３発明に係るパチンコ遊技機用の施錠装置によれば、上部と下部との２点において前面扉と遊技機本体とを係止させる施錠装置が設けられている従来技術に比較して、部品点数の削減、サイズの小型化に有利となる。従って、不正行為の際に、施錠装置を構成する部品に針金等の異物が触れる確率が低減される。よって不正行為を抑制するのに有利となる。
【００１６】
第４発明に係るパチンコ遊技機用の施錠装置は、パチンコ遊技面を備えると共にパチンコ球発射用の操作部を備え且つ遊技機本体に開閉回動可能に枢支された前面扉を、パチンコ遊技機の遊技機本体に施錠するパチンコ遊技機用の施錠装置において、施錠装置は前面扉の高さ方向において単数個所をロックする構成であり、前面扉の上端面と操作部の中心とを最短距離で結ぶ長さの中心点高さをＰＥとすると、施錠装置の施錠機能を果たすロック係止部は中心点高さＰＥと操作部との間の領域内に設けられていることを特徴とするものである。
【００１７】
第４発明に係るパチンコ遊技機によれば、施錠装置の施錠機能を果たすロック係止部は、前記した中心点高さＰＥと操作部との間の領域内に設けられている。このため不正行為者が前面扉の操作部を強制的に引張って、前面扉と遊技機本体との間に隙間を強制的に形成するときであっても、隙間の隙間幅をできるだけ小さくすることができる。故に操作部を起点する不正行為を抑制するのに有利となる。
【００１８】
第５発明に係るパチンコ遊技機用の施錠装置は、固定体と、固定体に開閉回動可能の枢支された開閉扉とを具備するパチンコ遊技機用の施錠装置において、開閉扉を固定体に施錠する施錠装置が設けられ、施錠装置は、単数箇所をロックすることを特徴とするものである。
【００１９】
第５発明に係るパチンコ遊技機用の施錠装置によれば、施錠装置は開閉扉において単数個所をロックするものであり、従って、２点において開閉扉をロック係止させる施錠装置が設けられている従来技術に比較して、部品点数の削減、サイズの小型化に有利となる。従って、不正行為の際に、施錠装置を構成する部品に針金等の異物が触れる確率が低減される。よって不正行為を抑制するのに有利となる。また、２点をロックするものは、２点が同時に施錠されず、どちらか一方のみが施錠され、所謂半ドア状態になる場合がある。このとき、施錠した者は施錠したと勘違いしてしまう可能性もあり、防犯管理上の観点から単数箇所をロックするものの方が管理しやすいという利点もある。
【００２０】
なお開閉扉としては、パチンコ遊技機（アレンジボール遊技機を含む）において開閉可能な扉であれば良く、前面扉でも良いし、遊技面を視認する透明扉でも良いし、場合によっては、開閉式に枢支されている他の扉でも良い。固定体としては、開閉扉が開閉可能に枢支されているものであれば良い。
【発明の効果】
【００２１】
第１発明〜第４発明によれば、パチンコ球発射用の操作部の引張りを起点とする不正行為を抑制するのに有利なパチンコ遊技機及びパチンコ遊技機用の施錠装置を提供することができる。
【００２２】
第５発明によれば、部品点数の削減、サイズの小型化に有利であり、更に不正行為を抑制するのに有利なパチンコ遊技機用の施錠装置を提供することができる。従って、パチンコ球発射用の操作部の引張りを起点とする不正行為を抑制するのに有利なパチンコ遊技機を対象とする施錠装置を提供することができる。更には、第５発明によれば、パチンコ球発射用の操作部を装備していないパチンコ遊技機を対象とする施錠装置を提供することもできる。
【発明を実施するための最良の形態】
【００２３】
以下、好ましい形態について説明を加える。本発明に係るパチンコ遊技機は、遊技機本体と、遊技機本体の前面に位置すると共に遊技機本体に開閉回動可能に枢支された前面扉とを備える。前面扉はパチンコ遊技面を備えると共にパチンコ球発射用の操作部を備えている。操作部はパチンコ球を発射させるために、遊技者等が操作するためのものである。操作部は、遊技者が操作しやすいように、一般的には、遊技者に対向しつつ前面扉の下部に設けられている。
【００２４】
好ましくは、前面扉の上端面と操作部の中心とを最短距離で結ぶ長さＬＡの中心点高さをＰＥとすると、施錠装置の施錠機能を果たすロック係止部の高さ位置は、この中心点高さＰＥと操作部との間の領域内に設けられている。このため不正行為者が前面扉の操作部を強制的に不正行為者側に引張って、前面扉と遊技機本体との間に隙間を強制的に形成し、隙間を介して不正行為をせんとするときであっても、その隙間の隙間幅をできるだけ小さくすることができる。故に、前面扉の操作部を起点とする不正行為を抑制するのに有利となる。
【００２５】
本発明によれば、前面扉の上端面と操作部の中心とを最短距離で結ぶ長さをＬＡとし、その長さＬＡを１００％とするとき、施錠装置の施錠機能を果たすロック係止部の高さ位置Ｍは、操作部の中心から上方に相対表示で１５〜４５％の領域内に設けられていることが好ましい。この場合、前記した長さＬＡを１００％とするとき、施錠装置の施錠機能を果たすロック係止部は、操作部の中心から上方に相対表示で、必要に応じて、１５〜３０％の領域内、または、１５〜２５％の領域内、または、２０〜３０％の領域内、または、３０〜４０％の領域内に設けられている形態を例示することができる。
【００２６】
単数個所をロックする場合には、施錠装置の施錠機能を果たすロック係止部が位置的に操作部にあまりに接近していると、不正行為者により操作部の反対側（前面扉の上端面側）が強制的に開けられるとき、小さな荷重でも隙間が形成されてしまうおそれがある。このため施錠装置の施錠機能を果たすロック係止部としては、操作部の中心から上方に相対表示で１５〜４５％の領域内に設けられていることが好ましい。
【００２７】
換言すると、前面扉の上端面と操作部の中心とを最短距離で結ぶ長さをＬＡとし、その長さＬＡを１００％とするとき、施錠装置の施錠機能を果たすロック係止部としては、前面扉の上面から下方に相対表示で８５〜６５％の領域内に設けられていることが好ましい。
【００２８】
施錠装置の施錠機能を果たすロック係止部としては、上記した位置関係を容易に特定できるように、施錠装置の施錠機能を果たす部品のうち可動しない部位とすることができる。従って、施錠装置の施錠機能を果たすロック係止部としてはストライカーを例示することができる。
【００２９】
本発明は、パチンコ球を遊技媒体として使用するパチンコ遊技機に適用される。パチンコ遊技機にはアレンジボール遊技機等も含まれる。
【実施例】
【００３０】
以下、本発明の実施例について図面を参照しつつ具体的に説明する。パチンコ遊技機は、固定体として機能する遊技機本体１（一般的には、外枠という）と、遊技機本体１の前面に設けられた開閉扉として機能する前面扉３（一般的には、前枠という）とを備える。遊技機本体１は、下端面１ｄ、上端面１ｕ、側端面１ｓを有する。前面扉３はヒンジ部１ｋ（枢支部）により遊技機本体１に開閉可能に枢支されている。上記前面扉３の前面には、パチンコ遊技に使用される各種器具３０ａ，３０ｂ，３０ｃ，３０ｄ等を有するパチンコ遊技面３０（一般的には、パチンコ遊技盤）が設けられている。前面扉３には、パチンコ遊技面３０を覆う透明ガラス４０を主要素とする透明扉４が開閉可能に設けられている。前面扉３には、施錠・解錠用のキーを差し込むキーシリンダ３８（施錠・解錠操作部）が設けられている。図２に示すように、前面扉３は、遊技機本体１の前面に矢印Ｗ１方向（開放方向）及び矢印Ｗ２方向（閉鎖方向）に開閉回動可能に枢支されている。矢印Ｗ１方向および矢印Ｗ２方向は横開閉を意味する。前面扉３の下部の片側には、向かって右側（ヒンジ部１ｋと逆側）に、パチンコ球発射用の操作部５が設けられている。前面扉３は基本的には四角形状であり、下端面３ｄ、上端面３ｕ、側端面３ｓを有する。なお、施錠時に合わされる遊技機本体１の側端面１ｓと前面扉の側端面３ｓとは、側面視で凹凸状に重なるようにして、防犯性を高めるようにしても良い。
【００３１】
操作部５は、遊技の際にパチンコ球発射のために遊技者により回動操作されるものである。従って操作部５はこれの軸芯ＰＣの回りで矢印Ｋ１，Ｋ２方向に回動操作可能とされている。操作部５は前面扉３の表面３ｆよりも遊技者側にΔＸ突出している（図４参照）。このように操作部５が前面扉３の表面３ｆよりも突出しているため、不正行為者が操作部５を強制的に引っ張ると、前面扉３は同方向に移動する。この場合、前面扉３と遊技機本体１との間に隙間Δｔを形成せんとする不正行為の対象となり易い。なお、操作部５を起点とする不正行為を抑制するためには、操作部５の突出量ΔＸが小さい方が好ましいが、操作部５を操作する遊技操作性を確保する観点から限界がある。
【００３２】
本実施例によれば、前面扉３を遊技機本体１に施錠する施錠装置６が設けられている。施錠装置６の主要素は、前面扉３のうちヒンジ部１ｋに対して反対側に、つまり、回動半径の外周側に設けられている。施錠装置６の要部は図５及び図６に示されている。図５及び図６に示すように、施錠装置６のうち、前面扉３と遊技機本体１とをロックするためのロック係止部であるストライカー６１は、前面扉３の高さ方向において単数個所をロックするシングルロック方式とされている。このため部品点数の削減、サイズの小型化に有利である。なお、２点をロックする方式を採用するときには、２点が同時に施錠されず、どちらか一方のみが施錠され、所謂半ドア状態になる場合がある。このとき、施錠した者は施錠したと勘違いしてしまう可能性もあり、単数箇所をロックするものの方が防犯管理しやすいという利点がある。
【００３３】
施錠装置６は図５及び図６に示されている。図５及び図６に示すように、施錠装置６は、矢印Ｙ１方向及び矢印Ｙ２方向（昇降方向）に移動可能に主可動体としてのスライダ６０と、遊技機本体１に固定されたストライカー６１（ロック係止部）と、ストライカー６１を係脱可能に係止するための係止溝６４をもつラッチとも呼ばれる回動可能な第１係止体６５と、第１係止体６５をロック位置に固定するポールとも呼ばれる回動可能な第２係止体７０と、第１係止体６５と第２係止体７０とを引張るように第１係止体６５と第２係止体７０との間に装着された付勢部材７５とを備えている。
【００３４】
スライダ６０は、縦長の挿通孔６０ｒを複数有しており、挿通孔６０ｒを通した止め具６０ｓにより前面扉３に保持されている。故に、スライダ６０は矢印Ｙ１方向及び矢印Ｙ２方向（昇降方向）に移動可能とされている。第１係止体６５、第２係止体７０、付勢部材７５は前面扉３に装備されている。ストライカー６１は遊技機本体１に固定されている。第１係止体６５の係止溝６４の高さ位置はストライカー６１の高さ位置に相当する。
【００３５】
付勢部材７５はコイルバネで形成されている。付勢部材７５の一端部７５ａは第１係止体６５の着座部６５ｍに接続され、付勢部材７５の他端部７５ｂは第２係止体７０の着座部７０ｍに接続されており、着座部６５ｍ,７０ｍ同士を互いに接近させる方向に付勢している。第１係止体６５は爪状の第１係止部６７を有しており、第１枢支軸６６の回りを矢印Ａ１方向（解錠方向），矢印Ａ２方向（施錠方向）に回動可能に設けられている。第２係止体７０は爪状の第２係止部７３を有しており、第２枢支軸７２の回りを矢印Ｂ１方向（解錠方向），矢印Ｂ２方向（施錠方向）に回動可能に設けられている。なお、矢印Ａ１，Ａ２方向、矢印Ｂ１，Ｂ２方向は前面扉３の厚み方向である。
【００３６】
前面扉３が遊技機本体１に施錠されているときには、図５（Ａ）に示すように、第１係止体６５の係止溝６４にストライカー６１が嵌合して係止している状態で、第１係止体６５の第１係止部６７と第２係止体７０の第２係止部７３とが係止している。このため前面扉３の第１係止体６５は遊技機本体１のストライカー６１に係止している。この場合、付勢部材７５の付勢力により、第１係止体６５は矢印Ａ１方向に付勢され、第２係止体７０は矢印Ｂ２方向に付勢されている。そして付勢部材７５の付勢力により第１係止体６５の第１係止部６７と第２係止体７０の第２係止部７３との係止状態（ロック状態）は維持されている。これにより前面扉３は遊技機本体１に閉鎖状態に係止されている。
【００３７】
前面扉３を遊技機本体１に対して解錠するときには、キーをキーシリンダ３８に差込んだ状態で一方向に回動させると、これに連動してカム６２（副可動体）が一方向に回動してカム片６２ｃによりスライダ６０（主可動体）が一方向（上方向、矢印Ｙ１方向）に移動し、第２係止体７０が第２枢支軸７２の回りを矢印Ｂ１方向（解錠方向）に回動する。この結果、図５（Ｂ）に示すように第１係止体６５の第１係止部６７と第２係止体７０の第２係止部７３とが離脱する。
【００３８】
そして、第１係止体６５の第１係止部６７が第２係止体７０の案内部７０ｘに接触しつつ案内部７０ｘに沿って矢印Ａ１方向（解錠方向）に移動する。
【００３９】
更に、図６（Ａ）に示すように、付勢部材７５の付勢力により、第１係止体６５が第１枢支軸６６の回りを矢印Ａ１方向（解錠方向）に回動して方向転換する。この結果、図６（Ｂ）に示すように、第１係止体６５の係止溝６４の向きが解錠方向に変わり、第１係止体６５の係止溝６４とストライカー６１との係止が解錠される。この状態で、前面扉３を開放操作すれば、前面扉３を遊技機本体１に対して開放することができる。なお矢印Ａ１方向、矢印Ａ２方向、矢印Ｂ１方向、矢印Ｂ２方向は前面扉３の厚みに沿った方向である。
【００４０】
施錠するときには、開放している前面扉３を遊技機本体１に向けて押せば良い。この場合、図６（Ｂ）から理解できるように、前面扉３が矢印Ｗ２方向に押されると、ストライカー６１が第１係止体６５の係止溝６４の壁面６４ｆにあたるため、付勢部材７５の付勢力に抗しつつ、第１係止体６５が矢印Ａ２方向（施錠方向）に第１枢支軸６６の回りを回動する。故に、第１係止体６５の係止溝６４にストライカー６１が係止している状態で、第１係止体６５の第１係止部６７と第２係止体７０の第２係止部７３とが係止する。この場合、前面扉３の第１係止体６５は遊技機本体１のストライカー６１に係止しており、付勢部材７５の付勢力により第１係止体６５の第１係止部６７と第２係止体７０の第２係止部７３との係止状態は維持されている。これにより前面扉３は遊技機本体１に閉鎖状態に施錠されている。
【００４１】
上記した施錠装置６は、前面扉３を遊技機本体１に対して施錠・解錠する機能を有する他に、前面扉３に対して透明扉４を施錠・解錠する機能も併有する。即ち、施錠装置６は、上下方向に並設されると共に透明扉４に係脱可能に係止する複数(２個)の係止爪８０ｆ,８０ｓと、複数の係止爪８０ｆ,８０ｓを連動させる連動部材としての棒状形状の連動ロッド８２とを有する。係止爪８０ｆは透明扉４の上部側（前面扉３の上部側）に位置し、透明扉４の上部側をロックする。係止爪８０ｓは透明扉４の下部側（前面扉３の高さ方向の中間側）に位置し、透明扉４の下部側をロックする。従って施錠装置６は透明扉４に対しては複数ロック方式とされている。
【００４２】
なお、上記したように透明扉４は、従来同様に複数ロック方式を採用しているが、これを前面扉３と遊技機本体１とで採用している１箇所による施錠構造を採ることにより、より構造の簡素化を図っても良い。操作部５のような大きな突出部分がなく、透明窓４を過剰な力で強制的に引張るという行為を行いにくい。更に透明窓４は透明ガラス４０を主要素とするため、不正行為を行うと、破損するおそれもある。このような事情等を考慮し、透明扉４に対しては従来同様に複数ロック方式とされている。
【００４３】
透明扉４が前面扉３に施錠されているときには、係止爪８０ｆ,８０ｓが透明扉４の被係止部４ｍに係脱可能に係止されている。透明扉４を前面扉３に対して解錠するときには、キーをキーシリンダ３８に差込んだ状態で他方向（前面扉３の場合と逆方向）に回動させると、これに連動してカム６２が他方向に回動してカム片６２ｃによりスライダ６０が他方向（矢印Ｙ２方向）に移動し、係止爪８０ｆ,８０ｓが連動ロッド８２で連動して矢印Ｆ１方向に開放作動する。これにより透明扉４が前面扉３に対して開放可能となる。また、パチンコ遊技機の裏側から施錠装置のスライダ６０を操作することにより、前面扉３と遊技機本体１との解錠、前面扉３と透明扉４との解錠が可能である。即ち、スライダ６０の部位６０ｋを下降操作させることにより、係止爪８０ｆ,８０ｓが傾動し、前面扉３と透明扉４との解錠が可能である。また、スライダ６０の部位６０ｋを上昇操作させることにより、第２係止体７０を矢印Ｂ１方向に回動させて前面扉３と遊技機本体１との解錠が可能となる。
【００４４】
なお、図４に示すように遊技機本体１の下部にはローラ等の転動体１２が設けられ１２と乗り上げ部３２とを係合させることにより前面扉３を遊技機本体１に対して矢印Ｙ４方向（図４参照）に持ち上げ、遊技機本体１に対する前面扉３の高さ方向の位置決めを行うことができる。因みに、遊技機本体１側に乗り上げ部を配置し、施錠装置側に転動体を設ける形態にすることで、施錠装置側の板金の折り曲げ加工が簡易な構造になるので加工し易いようにしても良い。
【００４５】
本実施例によれば、施錠装置６の主構成要素であるストライカー６１（ロック係止部）は、前面扉３の高さ方向において単数個所をロックするシングルロック方式が採用されている。従って、上部と下部との２点において前面扉３と遊技機本体１とを係止させる施錠装置が設けられている従来技術に比較して、部品点数の削減、サイズの小型化を図り得る。万一、針金等の異物を差し込まれる不正行為の際に、施錠装置６を構成する各種部品に針金等の異物が触れる確率が低減される。よって不正行為を抑制するのに有利となる。
【００４６】
更に本実施例の特徴について説明を加える。即ち、図３及び図４に示すように、前面扉３の上端面３ｕと操作部５の中心ＰＣとを最短距離で結ぶ長さをＬＡとする。高さ方向における長さＬＡの中心点高さをＰＥとする。施錠装置６の施錠機能を果たすストライカー６１(ロック係止部)の高さ位置Ｍは、中心点高さＰＥと操作部５との間の領域に設けられている。換言すると、本実施例によれば、前面扉３の上端面３ｕと操作部５の中心ＰＣとを最短距離で結ぶ長さをＬＡとし、その長さＬＡを１００％とするとき、施錠装置６の施錠機能を果たすストライカー６１（ロック係止部）の高さ位置Ｍは、操作部５の中心ＰＣから上方に相対表示で１５〜４５％の領域内に設けられている。この場合、前記した長さＬＡを１００％とするとき、施錠装置６の施錠機能を果たすストライカー６１（ロック係止部）としては、操作部５の中心ＰＣから上方に相対表示で１５〜３０％の領域内、または、３０〜４０％の領域内に設けられていることが好ましい。
【００４７】
なお、前記した長さＬＡを１００％とするとき、前面扉３の上端面３ｕと施錠装置６の施錠機能を果たすストライカー６１（ロック係止部）とを最短距離で結ぶ長さをＬＵとすると、長さＬＵは、長さＬＡのうち８５〜５５％を占めることになる（ＬＡ＞ＬＵ＞ＬＢ）。換言すると、前面扉３の上端面３ｕと操作部５の中心ＰＣとを最短距離で結ぶ長さをＬＡとするとき、前面扉３の上端面３ｕから長さＬＡのうち８５〜５５％を占める領域には、施錠装置６の施錠機能を果たすストライカー６１（ロック係止部）が設けられていないことになる。
【００４８】
以上説明したような構成が採用されている本実施例によれば、前面扉３の上端面３ｕと操作部５の中心ＰＣとを最短距離で結ぶ長さをＬＡとし、その長さＬＡを１００％とするとき、施錠装置６の施錠機能を果たすストライカー６１（ロック係止部）の高さ位置Ｍは、操作部５の中心ＰＣから上方に相対表示で１５〜４５％の領域内に設けられている。このような本実施例によれば、不正行為者が前面扉３の操作部５を強制的に不正行為者側（図４に示す矢印Ｘ１方向）引張って、前面扉３と遊技機本体１との間に隙間Δｔを強制的に形成しようと不正行為を行うとき、仮に隙間Δｔが形成されるときであっても、隙間Δｔの隙間幅をできるだけ小さくすることができる。故に、不正行為者が操作部５を引張ることを起点とする不正行為を抑制するのに有利となる。
【００４９】
なお、施錠装置６が前面扉３を遊技機本体１に施錠する部分が１カ所であるシングルロック方式である場合には、施錠装置６の施錠機能を果たすストライカー６１（ロック係止部）が位置的に操作部５にあまりに接近していると、前面扉２の上端面３ｕと施錠装置６の施錠機能を果たすストライカー６１（ロック係止部）との間の間隔が過剰になる。この結果、不正行為者により、操作部５の反対側、つまり、前面扉３の上端面３ｕ側が強制的に開けられるとき、小さな荷重でも、前面扉２と遊技機本体１との間において隙間が形成されてしまうおそれがある。このため施錠装置６の施錠機能を果たすストライカー６１（ロック係止部）を位置的に操作部５にあまりに接近させることは、好ましくない。従って、施錠装置６の施錠機能を果たすストライカー６１（ロック係止部）としては、前述したように、操作部５の中心ＰＣから上方に相対表示で１５〜４５％の領域内に設けられていることが好ましい。
【００５０】
もっとも、前面扉３の上端面３ｕ側においては、前面扉３の下端面３ｄ側と異なり、引張りを伴う不正行為の起点となり易い突出状態の操作部５が設けられていない。更に、前面扉３の上端面３ｕ側における不正行為は、前面扉３の下端面３ｄ側の操作部５に対する不正行為とは異なり、監視カメラ、周囲の遊技者、店員等に視認され易く、不正行為の対象となる頻度が相対的に低い。
【００５１】
なお本実施例によれば、前記したように操作部５の前面扉３の表面３ｆからの突出量をΔＸとし、操作部５の最大直径をΔＤとし、施錠装置６の施錠機能を果たすストライカー６１（ロック係止部）と操作部５の軸心ＰＣとの間の長さをＬＢとすると、図４から理解できるように、ＬＢ＞ΔＸの関係、ＬＢ＞ΔＤの関係とされている。更に、施錠装置６の施錠機能を果たすストライカー６１は操作部５の最上端５ｘよりも上方に位置しており、操作部５を前面扉３の表面３ｆから裏面に向けて垂直方向に投影するとき、投影部分には施錠装置６の施錠機能を果たすストライカー６１は位置していない。
【００５２】
モデル品に対してモデル試験を行った。このモデル品では操作部５は設けられていないため、下端面を３ｄ’（図３参照）と仮定しておく。この試験では、モデル品の高さ寸法を６６０ミリメートル（３ｕ−３ｄ’間の寸法）とした。また施錠装置６の施錠機能を果たすストライカー６１（ロック係止部）が前記下端面３ｄ’よりも距離ＬＥ（２６０ミリメートル）上方に配置されている。すなわち、モデル試験における距離ＬＥは、実機の遊技機では、施錠装置６の施錠機能を果たすストライカー６１（ロック係止部）と操作部５の中心ＰＣとを最短距離で結ぶ距離に相当する。
【００５３】
そして上記したモデル試験では、前面扉３と遊技機本体１との間に隙間を形成するように、前面扉３の下端（下端面３ｄ’）に５０Ｎの荷重を引張方向にかけた。このとき前面扉３と遊技機本体１との間に形成された隙間Δｔの隙間幅は１ミリメートルであった。また、前面扉３の下端（下端面３ｄ’）に１００Ｎの荷重をかけたとき、前面扉３と遊技機本体１との間に形成された隙間Δｔの隙間幅は１．５ミリメートルであった。不正行為対策としては隙間幅は小さい方が好ましいが、１００Ｎの荷重をかけたとき、３ミリメートル内であれば、許容範囲と考えられている。なお、人が立った状態で前面扉３を思い切り引っ張ったときには１００Ｎに相当すると推定される。
【００５４】
（他の例）
その他、本発明は上記し且つ図面に示した実施例のみに限定されるものではなく、要旨を逸脱しない範囲内で適宜変更して実施できるものである。本実施例では、施錠装置のロックの構造は、ストライカーと第１係止部と第２係止部等を使用した構造に限定されず、例えば、鈎部材を傾動させる構造に使用しても良い。更に、本実施例では図示していないが、前面扉にはパチンコ球を受ける球皿部が設けられ、この球皿部と前面扉との間には施錠装置があるので、ここにも実施例に示したような施錠装置を採用しても良い。
【産業上の利用可能性】
【００５５】
本発明はパチンコ球で遊技するパチンコ遊技機及びパチンコ遊技機用の施錠装置に利用することができる。
【図面の簡単な説明】
【００５６】
【図１】パチンコ遊技機の正面図である。
【図２】パチンコ遊技機の遊技機本体に対して前面扉を開放させた状態を示す斜視図である。
【図３】パチンコ遊技機において施錠装置および操作部の位置関係を概略的に示す正面図である。
【図４】パチンコ遊技機において施錠装置および操作部の位置関係を概略的に示す断面図である。
【図５】（Ａ）は施錠装置により前面扉を遊技機本体に施錠している状態を示す構成図であり、（Ｂ）は施錠装置の解錠途中を示す構成図である。
【図６】（Ａ）は施錠装置の解錠途中を示す構成図であり、（Ｂ）は施錠装置の解錠完了状態を示す構成図である。
【符号の説明】
【００５７】
図中、１は遊技機本体（固定体）、３は前面扉（開閉扉）、３０はパチンコ遊技面、３ｕは上端面、４は透明扉、５は操作部、６は施錠装置、６０はスライダ、６１はストライカー（ロック係止部）、６４は係止溝、６５は第１係止体、７０は第２係止体、７５は付勢部材を示す。
【図１】
2006015084.tif 000003
【図２】
2006015084.tif 000004
【図３】
2006015084.tif 000005
【図４】
2006015084.tif 000006
【図５】
2006015084.tif 000007
【図６】
2006015084.tif 000008